(57)【要約】      （修正有）【課題】小型ポンプのダイヤフラムが揺動体の揺動作用に起因して揺動体から外れないようにして、十分なポンプ出力を得る。【解決手段】ダイヤフラム２４の底部中心部に貫通孔２９を設け、貫通孔２９に連通する空気導入孔２７ａを有する軸体２７を揺動体２６に突設し、軸体２７にダイヤフラム２４の底部裏面に突設した中空状取付体２５を嵌着してダイヤフラム２４を揺動体２６に連結して成る小型ポンプにおいて、揺動体２６に突設した軸体２７にダイヤフラム２４の抜け止め用凹部２７ｂが設けられ、抜け止め用凹部２７ｂに嵌合してダイヤフラム２４の抜け止めを為す突起部２５ａをダイヤフラム２４の底部裏面に突設した中空状取付体２５に設け、突起部２５ａを抜け止め用凹部２７ｂに嵌合して成る抜け止め部Ｗを形成してダイヤフラム２４が揺動体２６に取付けられる小型ポンプとする。【選択図】図２
2008215232.tif 000002
【特許請求の範囲】
【請求項１】
ケース内にポンプ室を形成する複数のダイヤフラムを備え、偏心回転軸により揺動する揺動体によって前記ダイヤフラムが上下動してポンプ動作を行う小型ポンプであって、該ダイヤフラムの底部中心部に貫通孔を設け、該貫通孔に連通する空気導入孔を有する軸体を前記揺動体に突設し、該軸体に前記ダイヤフラムの底部裏面に突設した中空状取付体を嵌着して該ダイヤフラムを該揺動体に連結し、且つ、前記貫通孔に吸気弁体を設けて吸気弁部を構成し、更に、前記ポンプ室に連通する排気孔を設け、該排気孔に排気弁体を設けて排気弁部を構成して成る小型ポンプにおいて、
上記揺動体に突設した軸体にダイヤフラムの抜け止め用凹部が設けられ、該抜け止め用凹部に嵌合してダイヤフラムの抜け止めを為す突起部を該ダイヤフラムの底部裏面に突設した中空状取付体に設け、該突起部を前記抜け止め用凹部に嵌合して成る抜け止め部を形成して該ダイヤフラムが揺動体に取付けられることを特徴とする小型ポンプ。
【請求項２】
ケース内にポンプ室を形成する複数のダイヤフラムを備え、偏心回転軸により揺動する揺動体によって前記ダイヤフラムが上下動してポンプ動作を行う小型ポンプであって、該ダイヤフラムの底部中心部に貫通孔を設け、該貫通孔に連通する空気導入孔を有する軸体を前記揺動体に突設し、該軸体に前記ダイヤフラムの底部裏面に突設した中空状取付体を嵌着して該ダイヤフラムを該揺動体に連結し、且つ、前記貫通孔に吸気弁体を設けて吸気弁部を構成し、更に、前記ポンプ室に連通する排気孔を設け、該排気孔に排気弁体を設けて排気弁部を構成して成る小型ポンプにおいて、
上記揺動体に突設した軸体にダイヤフラムの抜け止め用凹部が設けられ、該抜け止め用凹部に嵌合してダイヤフラムの抜け止めを為す突起部を該ダイヤフラムの底部裏面に突設した中空状取付体に設け、該突起部を前記抜け止め用凹部に嵌合して成る抜け止め部を形成して該ダイヤフラムが揺動体に取付けられるとともに、ポンプ部を収容したポンプケースの下方部をモータ部を収容したモータケースの側壁と一体に結合して小型ポンプのケースを形成し、該小型ポンプのケースに形成される一つの空間部内上部に前記ポンプ部を設置し、該ケースの下部に前記モータ部を設置して前記同一の空間部内でポンプ部とモータ部とを連結したことを特徴とする小型ポンプ。
【請求項３】
上記揺動体に突設されている軸体は断面形状略エ字状の扁平形状に形成されて前記抜け止め用凹部が設けられていることを特徴とする請求項１記載の小型ポンプ
【請求項４】
上記小型ポンプはモータのロータ上面に該ロータと一体に設けられているプーリにモータ軸に偏心して上記偏心回転軸が遊嵌されていることを特徴とする請求項２記載の小型ポンプ。
【発明の詳細な説明】
【技術分野】
【０００１】
この発明は、小型ポンプに関するものであり、特に燃料電池システム等に用いられ、且つ、ダイヤフラムを使用する小型ポンプに関するものである。
【背景技術】
【０００２】
従来の此種小型ポンプを図３及び図４に従って説明する。同図に図示されている小型ポンプ２１は筒状のケース２２内にポンプ室２３，２３を形成する２個のダイヤフラム２４，２４が備えられ、該ダイヤフラム２４，２４の下部中心部には中空状取付体２５，２５が下方に突設して設けられ、該ダイヤフラム２４，２４の下方には、該ダイヤフラム２４，２４の下面を上下動させる揺動体２６が配設されている。尚、前記ケース２２は上ケース２２ａと、中ケース２２ｂと、下ケース２２ｃの３段で構成され、前記ダイヤフラム２４，２４は該ダイヤフラム２４，２４の鍔部２４ａ，２４ａ…が前記上ケース２２ａと前記中ケース２２ｂとの間に挟着されて前記ケース２２に保持されている。
【０００３】
そして、該揺動体２６の周辺部近傍であって、且つ、前記ダイヤフラム２４，２４の夫々の中心部下方に位置して、空気導入孔２７ａ，２７ａを有する軸体２７，２７が上方に突設して設けられ、該軸体２７，２７の外側面に前記ダイヤフラム２４，２４に設けた前記中空状取付体２５，２５の内側面が密嵌して前記揺動体２６に前記ダイヤフラム２４，２４が取付けられる。
【０００４】
又、前記ダイヤフラム２４，２４の底部中心部は一部が切開されて、吸気弁体２８，２８が形成されると共に、該切開によって貫通孔２９，２９が設けられ、該吸気弁体２８，２８により該貫通孔２９，２９を閉塞、開放可能にして吸気弁部Ｖ1 ，Ｖ1 が構成される。
【０００５】
更に、前記揺動体２６の中心部には該揺動体２６を偏心回転により揺動させる偏心回転軸３０が貫通して固着される。そして、該揺動体２６の上方に前記中ケース２２ｂから延設されて延設部３１が設けられると共に、該延設部３１の下部に下方に開口する凹部３２が形成され、他方、前記下ケース２２ｃの下部側に配置された回転駆動軸３３上端に回転体３４が固着され、該回転体３４上部の中心位置から離間した位置に凹部３５が形成され、前記偏心回転軸３０の上端が前記凹部３２に遊嵌され、下端が前記凹部３５に遊嵌されている。
【０００６】
又、前記上ケース２２ａの中央部には排気孔３６が開穿され、且つ、該上ケース２２ａの下面部の該排気孔３６外周に該排気孔３６と連通する２個の下方に開口する環状凹溝３７，３７が設けられており、該環状凹溝３７，３７を形成する内壁面３７ａ，３７ａに前記ダイヤフラム２４，２４の上端部から成る排気弁体３８，３８を圧接させて排気弁部Ｖ2 ，Ｖ2 が構成されている。
【０００７】
そして、前記下ケース２２ｃの底板２２ｄを前記回転駆動軸３３に接続されるモータ３９を収納するモータケース４０の上板４０ａに重ねて前記下ケース２２ｃとモータケース４０とを連結し、該下ケース２２ｃの前記底板２２ｄ及びモータケース４０の上板４０ａに該モータケース４０内と連通する連通孔４１が設けられると共に、該モータケース４０の下部に該モータケース４０内に外気を導入するための少なくとも１個以上の吸気孔４２，４２が形成されている。
【０００８】
而して、前記回転駆動軸３３の回転により前記回転体３４が回転すると、前記偏心回転
軸３０が偏心回転し、これによって前記揺動体２６が揺動し、前記ダイヤフラム２４，２４の下端部を上下動させる。そして、例えば、一方のダイヤフラム２４の下端部が下動された時、該ダイヤフラム２４内は負圧になり、前記排気弁体３８は前記環状凹溝３７の前記内壁面３７ａに密着し、即ち、前記排気弁部Ｖ2 は閉じ、且つ、前記吸気弁体２８は前記貫通孔２９を閉塞状態から開放し、即ち、前記吸気弁部Ｖ1 は開状態となり、前記空気導入孔２７ａから前記ダイヤフラム２４内へ矢印Ｃの如く吸気が行われる。
【０００９】
次に、前記ダイヤフラム２４の下端部が上動された時、前記ダイヤフラム２４内は高圧になり、前記吸気弁体２８が前記貫通孔２９を閉塞して前記吸気弁部Ｖ1 を閉状態にすると共に前記排気弁体３８が前記内壁面３７ａより拡径して前記排気弁部Ｖ2 による排気が矢印Ｄの如く行われる。該排気弁体３８内より排出された空気は前記環状凹溝３７を通り前記排気孔３６から前記ケース２２外に排出される。
【００１０】
又、前記ダイヤフラム２４の上動に伴って前記下ケース２２ｃ内が負圧になり、前記連通孔４１を介して前記モータケース４０内の空気が矢印Ｅの如く流入し、これによって、該モータケース４０内が負圧になり前記吸気孔４２を介して外気が矢印Ｆの如く吸入されて小型ポンプ２１のポンプ動作が行われる。
（特許文献１参照）
【特許文献１】特開２００２−１０６４７１号公報
【発明の開示】
【発明が解決しようとする課題】
【００１１】
上記特許文献１記載の小型ポンプにおけるダイヤフラムは、該ダイヤフラム底部裏面に突設されている中空状取付体の中空部を揺動体に突設した軸体の外側面に圧着して該ダイヤフラムを揺動体に取付けている。そこで、予め前記中空状取付体の中空部の内径を前記軸体の外径より小に形成し、そして、該中空部を拡径しながら該中空部を該軸体外側面に圧接して双方を嵌合している。従って、該中空状取付体の締付力にて該中空状取付体を該軸体に嵌合することによりダイヤフラムを揺動体に取付けるのであるから、前記締付力を確保するために該中空状取付体及び軸体を長く形成して双方の嵌合部の高さを高くとる必要がある。従って、小型ポンプ全体の高さがその分だけ加算される。
【００１２】
又、更に、該中空状取付体と軸体との嵌合部の高さを高くとったとしても、図４に示すように揺動体の揺動作用によりダイヤフラムの前記中空状取付体が軸体から徐々に外れてくる。かかる場合は、吸気弁部の密閉性が低下し、その結果空気の流量が低下して弁機能が劣化するという憂いがある。
【００１３】
更に又、上記従来例の小型ポンプは、既存のモータが使用されているため、該モータのモータケースの上板上にポンプ部が設置されているポンプケースの底板を載置して、ポンプ部とモータ部とが夫々別個のケース毎に収納されて双方が結合されている。従って、ポンプ部とモータ部を結合するためにモータから突設される長軸の回転駆動軸及び該回転駆動軸上端部に固着される回転体が必要となる。斯くの如く、双方を結合するために余分なスペースが必要となり、小型ポンプの上下高さが大となると云う欠陥がある。
【００１４】
そこで、小型ポンプのダイヤフラムが揺動体の揺動作用に起因して中空状取付体が軸体から外れないようにし、且つ、余分なスペースを低減し、上下全長サイズを可及的に小にするために解決せられるべき技術的課題が生じてくるのであり、本発明は該課題を解決することを目的とする。
【課題を解決するための手段】
【００１５】
本発明は上記目的を達成するために提案せられたものであり、請求項１記載の発明はケ
ース内にポンプ室を形成する複数のダイヤフラムを備え、偏心回転軸により揺動する揺動体によって前記ダイヤフラムが上下動してポンプ動作を行う小型ポンプであって、該ダイヤフラムの底部中心部に貫通孔を設け、該貫通孔に連通する空気導入孔を有する軸体を前記揺動体に突設し、該軸体に前記ダイヤフラムの底部裏面に突設した中空状取付体を嵌着して該ダイヤフラムを該揺動体に連結し、且つ、前記貫通孔に吸気弁体を設けて吸気弁部を構成し、更に、前記ポンプ室に連通する排気孔を設け、該排気孔に排気弁体を設けて排気弁部を構成して成る小型ポンプにおいて、上記揺動体に突設した軸体にダイヤフラムの抜け止め用凹部が設けられ、該抜け止め用凹部に嵌合してダイヤフラムの抜け止めを為す突起部を該ダイヤフラムの底部裏面に突設した中空状取付体に設け、該突起部を前記抜け止め用凹部に嵌合して成る抜け止め部を形成して該ダイヤフラムが揺動体に取付けられる小型ポンプを提供する。
【００１６】
この構成によれば、軸体に設けられているダイヤフラムの抜け止め用凹部にダイヤフラムの底部裏面に突設した中空状取付体に突設した突起部が嵌合して成る抜け止め部を形成して、該ダイヤフラムが揺動体に取付けられる。
【００１７】
請求項２記載の発明はケース内にポンプ室を形成する複数のダイヤフラムを備え、偏心回転軸により揺動する揺動体によって前記ダイヤフラムが上下動してポンプ動作を行う小型ポンプであって、該ダイヤフラムの底部中心部に貫通孔を設け、該貫通孔に連通する空気導入孔を有する軸体を前記揺動体に突設し、該軸体に前記ダイヤフラムの底部裏面に突設した中空状取付体を嵌着して該ダイヤフラムを該揺動体に連結し、且つ、前記貫通孔に吸気弁体を設けて吸気弁部を構成し、更に、前記ポンプ室に連通する排気孔を設け、該排気孔に排気弁体を設けて排気弁部を構成して成る小型ポンプにおいて、上記揺動体に突設した軸体にダイヤフラムの抜け止め用凹部が設けられ、該抜け止め用凹部に嵌合してダイヤフラムの抜け止めを為す突起部を該ダイヤフラムの底部裏面に突設した中空状取付体に設け、該突起部を前記抜け止め用凹部に嵌合して成る抜け止め部を形成して該ダイヤフラムが揺動体に取付けられるとともに、ポンプ部を収容したポンプケースの下方部をモータ部を収容したモータケースの側壁と一体に結合して小型ポンプのケースを形成し、該小型ポンプのケースに形成される一つの空間部内上部に前記ポンプ部を設置し、該ケースの下部に前記モータ部を設置して前記同一の空間部内でポンプ部とモータ部とを連結した小型ポンプを提供する。
【００１８】
この構成によれば、ダイヤフラムの底部裏面に突設した突起部が揺動体の軸体に設けた抜け止め用凹部に嵌合して該ダイヤフラムが揺動体に取付けられるとともに、小型ポンプのケース上部にポンプ部が設置され、下部にモータ部が設置されて双方が同一のケース内において結合される。
【００１９】
請求項３記載の発明は上記揺動体に突設されている軸体は断面形状略エ字状の扁平形状に形成されて前記抜け止め用凹部が設けられている小型ポンプを提供する。
【００２０】
この構成によれば、揺動体に突設されている軸体が断面形状略エ字状であって、且つ、扁平形状に形成されて抜け止め用凹部が設けられているので、この抜け止め用凹部に嵌合されるダイヤフラム底部裏面に突設されている中空状取付体の全長も小となって該中空状取付体の下部に、前記抜け止め用凹部に嵌合されるべき突起部が突設され、該突起部が該抜け止め用凹部に嵌合されてダイヤフラムが揺動体に取付けられる。
【００２１】
請求項４記載の発明は、上記小型ポンプはモータのロータ上面に該ロータと一体に設けられているプーリにモータ軸に偏心して上記偏心回転軸が遊嵌されている小型ポンプを提供する。
【００２２】
この構成によれば、小型ポンプのケース内の上部に設置されているポンプ部と下部に設置されているモータ部とが同一のケース内において、モータのロータと一体のプーリに偏心回転軸が遊嵌されることにより、モータ部とポンプ部とが結合される。
【発明の効果】
【００２３】
請求項１記載の発明は、揺動体に突設した軸体に抜け止め用凹部が設けられ、該抜け止め用凹部に嵌合してダイヤフラムの抜け止め部を為す突起部をダイヤフラム底部裏面に突設した中空状取付体に設け、該突起部を前記抜け止め用凹部に嵌合して成る抜け止め部を形成してダイヤフラムが揺動体に取付けられているので、揺動体の揺動作用時においてダイヤフラムが揺動体から外れるようなことがなくなり、依って、ポンプ室内に十分な空気量を吸気できて適正なるポンプ出力を得ることができる。
【００２４】
請求項２記載の発明は、前記請求項１記載の発明の構成並びに、小型ポンプのケースがポンプ部を収容するポンプケースとモータ部を収容するモータケースとを一体に合接して成り、且つ、該ケース上部にポンプ部を設置し下部にモータ部を設け、該ケース内においてポンプ部とモータ部とを結合した構成とから成るので、請求項１記載の発明の前記効果の外、従来例のようにモータ部とポンプ部とを結合するための長軸の偏心回転軸及び該偏心回転軸に固着される回転体が不要となるため、余分なスペースも省略できる。斯くして、コストダウンにも寄与するとともに小型ポンプを可及的に小型化することができる。
【００２５】
請求項３記載の発明は、揺動体に突設されている軸体は断面形状略エ字状の扁平状に形成されて抜け止め用凹部が設けられているので、請求項１記載の発明の効果に加え、ダイヤフラムに設けた中空状取付体の長さを小さく形成できるので、小型ポンプの上下高さがその分だけ縮少されることができて小型化に寄与される。
【００２６】
請求項４記載の発明は、モータのロータ上面に該ロータと一体に設けられているプーリにモータ軸と偏心して偏心回転軸が遊嵌されているので、請求項２記載の発明の効果を適正に発揮し、モータ性能及び組立性を一層助成することができる。
【発明を実施するための最良の形態】
【００２７】
この発明は、小型ポンプの揺動体の揺動作用によってダイヤフラムが軸体から外れることがないようにするとともに、小型ポンプ全体のサイズを可及的に小に形成できるようにするために、小型ポンプの揺動体に突設した軸体にダイヤフラムの抜け止め用凹部が設けられ、該抜け止め用凹部に嵌合してダイヤフラムの抜け止めを為す突起部を該ダイヤフラムの底部裏面に突設した中空状取付体に設け、該突起部を前記抜け止め用凹部に嵌合して成る抜け止め部を形成して該ダイヤフラムが揺動体に取付けられるとともに、ポンプ部を収容したポンプケースの下方部をモータ部を収容したモータケースの側壁と一体に結合して小型ポンプのケースを形成し、該小型ポンプのケースに形成される一つの空間部内上部に前記ポンプ部を設置し、該ケースの下部に前記モータ部を設置して前記同一の空間部内でポンプ部とモータ部とを連結した小型ポンプを提供することにより達成した。
【実施例】
【００２８】
以下、本発明の好適な一実施例を図１及び図２に従って詳述する。尚、説明の都合上、図３に示す従来例と共通する部分については同一符号を付して説明するものとする。
【００２９】
図１は本発明の小型ポンプ１の平面図、図２は図１のＡ−Ａ線断面図である。図において、小型ポンプ１はポンプケース２としての天板を形成する上ポンプケース３と、該上ポンプケース３の周縁下面に一体に連結されている下ポンプケース４と、該下ポンプケース４の下方部をモータケース５の側壁５ａに一体的に嵌合された該モータケース５を有し、該ポンプケース２とモータケース５から成る小型ポンプ１のケースＫ内に、ダイヤフラム
２４及び揺動体２６並びにモータ６が収納される。
【００３０】
前記上ポンプケース３とダイヤフラム２４との間の空間をポンプ室２３として空気の吸入及び排出を行う。又、ダイヤフラム２４の上ポンプケース３側に排気弁体３８が設けられ、該ダイヤフラム２４の揺動体２６側に吸気弁体２８が設けられている。
【００３１】
そこで、上記モータ６の駆動により揺動体２６が稼動し、該揺動体２６の上下運動により前記ポンプ室２３を圧縮、膨張させてポンプ出力が得られる。即ち揺動体２６が上ポンプケース３側へ振れたとき、ポンプ室２３は圧縮される。このとき、排気弁体３８が開放されてポンプ室２３内の圧縮された空気（流体）が排気孔３６から排出される。逆に揺動体２６がモータ側に振れたとき、ポンプ室２３は膨張する。このとき、吸気弁体２８が開放され、ポンプ室２３内に空気導入孔２７ａを介して空気が吸入される。
【００３２】
かかる一連の動作が繰り返されることによりポンプとしての一定の出力が得られ、例えば燃料電子システム（図示略）等に用いられる。尚、その他の小型ポンプ１の構成及び作用効果は図３の従来技術と実質的に共通しているので、この従来技術と共通しているその余の構成については同一符号を付して説明するが、その大部分の説明は省略するものとする。
【００３３】
以下、本発明の特徴とするところを関連する部分を含め詳細に説明する。先ず、図２は前述したように、本発明の小型ポンプ１を示す図１のＡ−Ａ線で切断した断面図である。同図において、ダイヤフラム２４の底部の中心部には従来例と同様に貫通孔２９が開穿されており、そして該貫通孔２９を開閉する吸気弁体２８が設けられて吸気弁部Ｖ1 が構成されている。本実施例においては該吸気弁体２８はダイヤフラム２４の一部を切開して設けられている。
【００３４】
一方、前記貫通孔２９に連通する空気導入孔２７ａを有する軸体２７が前記揺動体２６の周辺近傍に突設されている。他方、該ダイヤフラム２４の底部裏面に円筒状の中空状取付体２５が突設され、該中空状取付体２５を前記揺動体２６に突設した前記軸体２７外側面に密嵌して該ダイヤフラム２４の底部に形成されている吸気弁部Ｖ1 を該軸体２７上面に接触させて該ダイヤフラム２４を該揺動体２６に取付け、小型ポンプ１のポンプ動作を行うように構成している。
【００３５】
又、前記揺動体２６は従来例の図３に示すように長軸の回転駆動軸３３をモータ３９から突設し、そして、この回転駆動軸３３上端部に回転体３４を固設し、該回転体３４に偏心して偏心回転軸３０を揺動体２６中心に嵌着していたのであるが、本発明は図２に示すように前記回転駆動軸３３及び回転体３４を有していない。即ち本発明の回転駆動軸３３の下端部はモータ６のロータ６ａ上面であって、モータ軸６ｂから偏心した位置に遊嵌されて前記揺動体２６の揺動作用が実行できるように構成されている。
【００３６】
而して、本発明においては、ポンプ部Ｐとモータ部ＭとがケースＫ内の同一の空間部Ａ内に設置されているので、ポンプ部Ｐとモータ部Ｍとを連結するための前記回転駆動軸３３及び回転体３４が不要となり、従って、之等構成に要する余分なスペースも不要となる。
【００３７】
そこで、本発明においては、前記同一の空間部Ａを形成するためにポンプ部Ｐを設けたポンプケース２とモータ部Ｍを設けたモータケース５とを合接して一体化し、そして、前記同一の空間部Ａが形成されている。尚、本実施例においては、ポンプケース２は天板を形成する上ポンプケース３の周縁部下面にポンプケース２の側壁を形成する下ポンプケース４が一体に固設されており、そして、該下ポンプケース４の下端部がモータケース５の
底板５ｂ上面まで延設されるとともに、該下ポンプケース４の下方部を該モータケース５の前記底板５ｂ周縁上面に立設した側壁５ａ外側面に嵌合して両者を一体化し、そして、該ポンプケース２の側壁とモータケース５の側壁とを恰も単一のケースＫの側壁面として形成させたので、該モータ部Ｍとポンプ部Ｐとを該ケースＫの同一の空間部Ａ内において直接結合することができ、依って、従来例のような前記双方の結合手段を省略することができる。
【００３８】
斯くして、本発明は小型ポンプ１の余分なスペースを削減し、而も、従来例のような長軸から成る回転駆動軸及び該回転駆動軸に固定される回転体によるモータ部とポンプ部との連結手段を不要とするので、コストダウンにも寄与することができる。
【００３９】
又、本発明は、特に、揺動体２６に設けた軸体２７を扁平に形成し、且つ、断面エ字状にてダイヤフラム２４の抜け止め用凹部２７ｂが設けられている。そこで、ダイヤフラム２４に設けた中空状取付体２５も上下高を小に形成して該中空状取付体２５に前記抜け止め用凹部２７ｂに嵌合せられる突起部２５ａが設けられる。斯くして、該抜け止め用凹部２７ｂに該突起部２５ａを嵌合して成る抜け止め部Ｗを設けてダイヤフラム２４を揺動体２６に取り付けたので、双方は強固に嵌合し、斯くして、揺動体２６の揺動作用によってダイヤフラム２４が上下動するとき、該ダイヤフラム２４の前記中空状取付体２５が前記軸体２７から外れることがなくなる。依って、吸気弁部Ｖ1 の密閉性能が低下することもなくなり、ポンプ室２３内への充分な空気量が確保されて適正なポンプ出力を得ることが可能となる。
【００４０】
更に又、前記軸体２７及び該軸体２７に嵌合せられる中空状取付体２５の上下高さを低く形成できたので、前述のポンプケースとモータケースとを一体化したことと相俟って小型ポンプを可及的に小型化することができた。
【００４１】
尚、図２中符号９はモータ６のステータであり、該ステータ９には巻線が巻装される。又、前記ロータ６ａの上面にはモータ軸７上に直接固設されたプーリ１０が該ロータ６ａと一体に設けられ、従って、該プーリ１０がロータ６ａの一部を構成する如く形成され、そして、前記偏心回転軸３０の下端部が該プーリ１０の一側面上に遊嵌され、該偏心回転軸３０の偏心回転により、揺動体２６が揺動してポンプ動作が実行されるように構成されている。
【００４２】
又、符号１１はモータ部Ｍに設けられた回路基板であり、該回路基板１１には種々の電子部品が搭載されている。又、図中符号１２は軸受を示す。
【００４３】
尚、本発明は、本発明の精神を逸脱しない限り種々の改変を為ことができ、そして、本発明が該改変されたものに及ぶことは当然である。
【図面の簡単な説明】
【００４４】
【図１】本発明の一実施例を示し、小型ポンプの平面図。
【図２】図１のＡ−Ａ線断面図。
【図３】従来の小型ポンプの縦断面図。
【図４】従来の小型ポンプであって、ダイヤフラムが揺動体から外れる状態を示す一部切欠縦断面図。
【符号の説明】
【００４５】
１          小型ポンプ
２          ポンプケース
３          上ポンプケース
４          下ポンプケース
５          モータケース
６          モータ
６ａ        ロータ
７          モータ軸
８          吸気孔
２３          ポンプ室
２４          ダイヤフラム
２５          中空状取付体
２５ａ        突起部
２６          揺動体
２７          軸体
２７ａ        空気導入孔
２７ｂ        抜け止め用凹部
２８          吸気弁体
３６          排気孔
３８          排気弁体
Ｋ          ケース
Ｍ          モータ部
Ｐ          ポンプ部
Ａ          同一の空間部
Ｖ1         吸気弁部
Ｖ2         排気弁部
Ｗ          抜け止め部
【図１】
2008215232.tif 000003
【図２】
2008215232.tif 000004
【図３】
2008215232.tif 000005
【図４】
2008215232.tif 000006